(57)【特許請求の範囲】
【請求項１】
エレベータ乗り場の三方枠の戸袋に組込まれた制御盤を、前記戸袋に設けた扉を開いて保守・点検作業を行う際に用いられる防護用具であって、
前記戸袋の扉の外側に設けられ、複数本の支柱間を連結部材で連結して組立てられて作業空間を構成するフレームと、
このフレームの上端と開いた前記扉の上端とに係合して前記フレームに載せられた天井パネルと、
前記フレームに前記戸袋側を除く側面部を覆うように設けられた防護シートと、を備えたことを特徴とするエレベータ装置の制御盤保守・点検用防護用具。
【請求項２】
前記扉は前記天井パネルを支えていることを特徴とする請求項１に記載のエレベータ装置の制御盤保守・点検用防護用具。
【請求項３】
前記天井パネルは前記フレームに傾斜して載せられていることを特徴とする請求項１または請求項２に記載のエレベータ装置の制御盤保守・点検用防護用具。
【請求項４】
前記防護シートの上端部が前記天井パネルに接合されていることを特徴とする請求項１ないし請求項３のいずれか１項に記載のエレベータ装置の制御盤保守・点検用防護用具。
【請求項５】
前記フレームの一部または前記防護シートの一部が前記三方枠に取付けられていることを特徴とする請求項１ないし請求項４のいずれか１項に記載のエレベータ装置の制御盤保守・点検用防護用具。
【請求項６】
前記フレームの下部または前記防護シートの下部に、重りが取付けられていることを特徴とする請求項１ないし請求項５のいずれか１項に記載のエレベータ装置の制御盤保守・点検用防護用具。
【発明の詳細な説明】
【０００１】
【発明の属する技術分野】
本発明は、エレベータ乗りかごの運行を制御するための制御盤を、エレベータ乗り場の三方枠の戸袋内に組込んだエレベータ装置に係り、特に三方枠の戸袋内に組込まれた制御盤を保守・点検する際に使用する防護用具に関する。
【０００２】
【従来の技術】
一般にロープ式エレベータ装置は、昇降路とは区画してその上部に設置された機械室に、巻上機が設けられており、この巻上機にシーブが連結されている。そして、昇降路内に位置して、シーブに巻装されているロープの一方の端にエレベータ乗りかごが固定され、ロープの他方の端に、エレベータ乗りかごの重量に対してほぼ釣合うように釣合いおもりが固定されている。また、エレベータ乗りかごの運行を制御するための制御盤が機械室に配置されている。
【０００３】
エレベータ装置の機械室は、通常エレベータ乗りかごの昇降路とは区画してその上部に設置されるので、建物の屋上部にエレベータ装置の機械室が突出するように設けられるのが一般的である。そのため、この機械室部分が建物の高さ制限や、建物が隣接する場合は日照権上の問題を引き起こすことがあった。また、屋上ではあるが、機械室というスペースを要することは、建物の有効活用面からすれば非常にマイナスであった。
【０００４】
このような状況から最近では、機械室レスのエレベータ装置が開発されてきており、この機械室レスのエレベータ装置は、制御盤と巻上機が機械室内に設置できないことから、例えば巻上機を昇降路内の最上部に設置し、制御盤はある階（一般的には最上階）の、エレベータ乗り場の三方枠の戸袋内に設置するようにしている。
【０００５】
図２２は、エレベータ乗り場の三方枠をエレベータ乗り場側から見た斜視図であり、先ずこの図により三方枠について説明する。
【０００６】
三方枠１は、エレベータの乗り場に設けられていて、乗りかごへの出入口である横引き戸２などとともに出入口装置を構成するものである。そのため、両側に立設された２本の縦枠３と、この縦枠３の上部に横設された横枠４を有し、横枠４に設けられている図示しない敷居に横引き戸２が吊るされて支持されている。図２２には、２枚の横引き戸２を有するものが示されており、２枚の横引き戸２は図の左側に引き込まれることにより、図の奥側に位置する乗りかごへの出入口が開かれることになる。この横引き戸２が引き込まれる図の左側は、戸袋となるもので、横引き戸２との接触を防止するための内部パネル５が設けられており、この内部パネル５に沿ってその前面にエレベータ乗りかごの運行を制御するための制御盤６が設置されている。
【０００７】
そして、この制御盤６を覆うように、開閉可能な戸袋扉７（ここでは開いた状態が示されている）が設けられている。すなわち、制御盤６は内部パネル５と扉７とによって囲まれるように形成された空間に設置されているので、扉７が閉じられていれば、制御盤６はエレベータ乗り場側からは見えないようになっている。なお、扉７は通常閉じられて施錠されており、制御盤６の据付、調整、保守、点検時などに、専門の保守員が扉７を開けて必要な作業を行っている。
【０００８】
【発明が解決しようとする課題】
ところで、エレベータの乗り場は必ずしも周囲が壁で覆われているとは限らず、例えばビルの屋上や歩道橋に面した外壁面などにエレベータの乗り場が設けられている場合がある。このようなエレベータ乗り場の三方枠１の戸袋内に組込まれた制御盤６は、据付、調整、保守、点検などのために扉７を開けると、制御盤６が外気（雨、風、雪、埃等）に晒される可能性が大きいという問題があった。また、保守員なども外気に晒された状態で作業を行わなければならず、作業環境として適切ではないという問題もあった。本発明はこのような問題を解決することを目的としてなされたものである。
【０００９】
【課題を解決するための手段】
上記の課題を解決するために、請求項１に記載の発明は、エレベータ乗り場の三方枠の戸袋に組込まれた制御盤を、前記戸袋に設けた扉を開いて保守・点検作業を行う際に用いられる防護用具であって、前記戸袋の扉の外側に設けられ、複数本の支柱間を連結部材で連結して組立てられて作業空間を構成するフレームと、このフレームの上端と開いた前記扉の上端とに係合して前記フレームに載せられた天井パネルと、前記フレームに前記戸袋側を除く側面部を覆うように設けられた防護シートと、を備えたことを特徴とするものである。
【００１０】
これにより、据付、調整、保守、点検などの際に、三方枠の戸袋に組込まれた制御盤を外気から守って作業空間を確保することができ、かつ、作業環境も良好に保つことができる制御盤保守・点検用防護用具が提供される。また戸袋の扉をフレームの支柱として兼用できるので、支柱の数を減らすことができる。
【００１１】
また、請求項２に記載の発明は、請求項１に記載の制御盤保守・点検用防護用具において、前記扉は前記天井パネルを支えていることを特徴とするものである。
【００１２】
これにより、安定性が良く、組み立ても容易となる。
【００１３】
また、請求項３に記載の発明は、請求項１または請求項２に記載の制御盤保守・点検用防護用具において、前記天井パネルは前記フレームに傾斜して載せられていることを特徴とするものである。
【００１４】
これにより、防護用具の上に雨水などが溜まることはない。
【００１５】
また、請求項４に記載の発明は、請求項１ないし請求項３のいずれか１項に記載の制御盤保守・点検用防護用具において、前記フレームに、長方形の防護シートで前記戸袋側を除く側面部を覆い、防護シートの上端部を前記天井パネルに接合したことを特徴とするものである。
【００１６】
これにより、防護シートの構成が簡素化され、組み立ても容易となる制御盤保守・点検用防護用具が提供される。
【００１７】
また、請求項５に記載の発明は、請求項１ないし請求項４のいずれか１項に記載の制御盤保守・点検用防護用具において、前記フレームの一部または前記防護シートの一部が前記三方枠に取付けられていることを特徴とするものである。
【００１８】
これにより、フレームまたは防護シートを三方枠に取付けるので、防護用具の安定性が向上し、防護用具が転倒したりズレたりすることを防止できる。
【００１９】
さらに、請求項６に記載の発明は、請求項１ないし請求項５のいずれか１項に記載の制御盤保守・点検用防護用具において、前記フレームの下部または前記防護シートの下部に、重りが取付けられていることを特徴とするものである。
【００２０】
これにより、防護用具の安定性が向上し、防護用具が転倒したり風で防護シートが飛ばされたりすることを防止することができる。
【００２１】
【発明の実施の形態】
以下、本発明に係るエレベータ装置の制御盤保守・点検用防護用具の実施の形態について、図１ないし図２１を参照して詳細に説明する。なお、これらの図において図２２と同一部分には同一符号を付して示してある。
【００２２】
図１は、本発明のエレベータ乗り場の三方枠戸袋に組込まれた制御盤保守・点検用防護用具の一実施の形態におけるフレームの組み立て状態を示した斜視図であり、図２は、図１に示したフレームを覆うように被せる防護シートの展開図であり、図３は、図１のフレームに図２の防護シートを被せた状態を示した斜視図である。
【００２３】
図１に示すように、制御盤６の組込まれているエレベータ乗り場の三方枠１において、制御盤６の設置されている三方枠１の戸袋の表側に、扉７が開閉できるように、４本のＬ型のアングル１１を支柱として立設し、各アングル１１の上部をコの字形にプレート１２を連結部材として用いてボルト１３などで連結固定し、さらにアングル１１の中間部も適宜プレート１２で連結して補強することにより、制御盤６を囲むように門形にフレーム１４を組み立てて、三方枠１の戸袋とフレーム１４とによって囲まれた作業空間を形成する。
【００２４】
そして、フレーム１４の三方枠１の戸袋側を除く３側面と天井部とを覆うように、図２に示すような防護シート１５を被せる。この防護シート１５は全体が略凸形に形成され、その凸部１５ａはフレーム１４を覆う際に天井面となり、胴部１５ｂは同じく側面となるものである。また、凸部１５ａの両側のみみ（耳）部には例えばベルクロファスナ１６の被接着部が取付けられ、胴部１５ｂの肩にはベルクロファスナ１６の接着部が取付けられている。そして、凸部１５ａの上端のみみ部や胴部１５ｂの両端には例えば磁石１７が取付けられ、さらに、胴部１５ｂの中央部には出入口１５ｃとなる切り込みが形成されており、この出入口１５ｃは開閉可能となるようにベルクロファスナ１６が取付けられている。なお上述の防護シート１５は防水性であることが好ましく、またベルクロファスナ１６や磁石１７に代えて、他の繰り返し使用可能な接着手段を用いてもよい。
【００２５】
そして、フレーム１４を組み立てた後で、防護シート１５をフレーム１４にこれを覆うように被せ、凸部１５ａの両側のみみ部を胴部１５ｂの肩にベルクロファスナ１６で接合して天上面を形成し、胴部１５ｂの両端を三方枠１に磁石１７で接合して固定することにより側面を形成する。なお、凸部１５ａの上端のみみ部も三方枠１に磁石１７で接合する。このようにして、図３に示すような制御盤保守・点検用防護用具１８が完成する。
【００２６】
従って、制御盤６の据付、調整、保守、点検などの際に、戸袋の扉７の外側を防護用具１８によって囲って所望の作業空間を形成し、その後、扉７を開いて作業を行うことにより制御盤６を雨、風、雪、埃などの外気から守ることができるとともに、保守員もこの防護用具１８内の作業空間で外気条件に影響されずに良好な環境のもとで作業を行うことができる。さらに、フレーム１４や防護シート１５は組立式なので、持ち運びや収納性に優れている。
【００２７】
なお、本発明におけるフレームは、図１に示して説明したものに限られることはなく、種々変形した形態で実施することができる。例えば、図４に示すように、Ｌ型アングル１１やプレート１２に代えて、樹脂製あるいはスチール製のパイプ１９を用いて、支柱と連結用、さらには補強用の部材とし、各パイプ１９を連結部品２０によって門形に組み立ててフレーム２４を形成してもよい。そしてこのフレーム２４に、図２に示した防護シート１５を被せて、図３に示すような制御盤用防護用具を完成させることができる。さらに、図５および図６に示すように、コの字形に形成された樹脂製あるいはスチール製のパイプ２１を２組用いて、パイプ２１の夫々の脚の中間部でＸ字状に交差するようにして、回動可能にボルト２２で結合して組立てることにより、フレーム３４を形成してもよい。この場合、図６に示すように、パイプ２１にはストッパーピン２３を溶接あるいはねじ止めなどによって固着しておき、Ｘ字状に交差する角度を所望の角度に制限するようにしておくことが好ましい。なお図６（ａ）はＸ字状に交差するパイプ２１を拡大した正面図であり、図６（ｂ）は図６（ａ）の上方から見た平面図であり、図６（ｃ）は図６（ａ）の左側から見た側面図である。そして図５に示したフレーム３４に、図２に示した防護シート１５を被せて、図３に示したものと同様の制御盤用防護用具を完成させることができる。
【００２８】
次に、本発明の制御盤保守・点検用防護用具の他の実施の形態として、天井パネルを有するものについて説明する。
【００２９】
図７ないし図１２は、パイプ１９を連結部品２０によって門形に組み立てた図４に示したフレーム２４に、天井パネル２５を設けた実施の形態を示したものである。すなわち、天井パネル２５は樹脂またはスチールで形成されており、図７に示すように、天井パネル２５の下面に、パイプ１９の上端と係合するキャップ２５ａと、戸袋から開いた扉７の上端とに係合するように、溝を形成するための突起２５ｂが設けられている。そして、キャップ２５ａにパイプ１９の上端を嵌合させ、突起２５ｂによって形成されている溝に、開いた扉７の上端を係合させることによって、フレーム２４に天井パネル２５を載せ、図８に示すような天井パネル２５を有するフレーム２４を形成する。なおこの場合、扉７を１本の支柱として兼用できるので、この場合は支柱となるパイプ１９は３本であってもよい。また、図９および図１０に示すように横引き戸２側に位置する２本のパイプ１９を、扉７の高さよりも若干高くしてフレーム２４を形成し、このようなフレーム２４に天井パネル２５を載せると、図９に示すように、天井パネル２５は開いた扉７側へ傾斜したものとなる。そこで、天井パネル２５を載せたフレーム２４に、図２に示したような防護シート１５を被せることによって、図１０に示した制御盤保守・点検用防護用具１８を完成させることができる。従って、扉７をフレーム２４の一部として兼用して天井パネル２５を支えているので、安定性が良く、組み立ても容易である。
【００３０】
なお、フレーム２４に天井パネル２５を載せた場合には、防護シート１５で天井パネル２５を覆うことは必ずしも必要ではないので、図２に示した全体が略凸形に形成された防護シート１５に代えて、長方形の１枚の防護シート２６を用いて、図１１に示すように、防護シート２６をフレーム２４の３側面を覆うようにして、防護シート１５と同様に、両側面に取付けられている磁石でフレーム２４及び三方枠１の戸袋の扉７に止着させるとともに、図１１、図１２に示すように、上端部は天井パネル２５にクリップ２７で挟み込んで固定するようにしてもよい。なお、この防護シート２６も防護シート１５と同様に防水性であることが望ましいし、図示していないが、出入口１５ｃとなる切り込みも適宜形成しておくのが望ましい。この実施の形態では、防護シートの構成が簡素化され、組み立ても容易となる。また、天井パネル２５が傾斜しているので防護用具１８の上に雨水などが溜まらない。
【００３１】
また、図１３ないし図１５は、フレーム２４を取付け具２８によって三方枠１に固定させる手段の実施の形態を示したものである。すなわち、取付け具２８は図１３（ａ）、図１３（ｂ）に示すように、嵌合部２８ａが弾性を有するように、断面がＣ字状に形成され、基部には吸盤２８ｂを備えている。あるいは、取付け具２８を図１４（ａ）、図１４（ｂ）に示すように、嵌合部２８ａと基部に磁石２８ｃを備えたものとしてもよい。そして、図１５に示すように取付け具２８の嵌合部２８ａをパイプ１９（またはパイプ２１）の外周に嵌合部２８ａのＣ字状の切れ目からパイプ１９（またはパイプ２１）の外周を押し込むようにして嵌合させて、取付け具２８の吸盤２８ｂまたは磁石２８ｃを三方枠１に固定させる。すなわち、フレーム１４の上部に横設されたパイプ１９に取付け具２８を嵌合させて、吸盤２８ｂまたは磁石２８ｃで三方枠１に固定させることによって、フレーム２４を三方枠１に固定する。従って、防護用具１８の安定性が向上し、転倒したりズレたりすることを防止できる。
【００３２】
図１６ないし図１８は、防護シート１５を取付け具２９によって三方枠１に固定させる手段の実施の形態を示したものである。すなわち、取付け具２９は図１６および図１７に示すように、吸盤２９ａまたは磁石２９ｂなどによって形成されており、紐２９ｃによって防護シート１５の凸部１５ａの上端部や胴部１５ｂの両端に適宜の数が連結されている。この取付け具２９は、防護シートとして図１１に示した長方形の１枚の防護シート２６を用いる場合には、そのシート２６の両端に適宜の数が連結されていてもよい。そして、このような取付け具２９を、図１８に示すように三方枠１に固定させることによって、フレーム２４を覆っている防護シート１５或いはシート２６が三方枠１に固定される。よって、防護シート１５やシート２６がズレたり風で飛ばされることを防止し、防護用具１８の安定性を向上することができる。
【００３３】
図１９は、フレーム２４を形成する支柱の下部に重り３０を設けた実施の形態を示したものである。この重り３０は嵌め込み式となっており、支柱となるパイプ１９（またはアングル１１）の下端に嵌め込んで取付けることにより、防護用具１８の安定性を極めて向上させることができる。これにより、防護用具１８の重心が低くなり、転倒したり風で飛ばされたりすることが防止される。
【００３４】
図２０および図２１は、フレーム２４を使用することなく、防護シート３１によって三方枠の戸袋に組込まれた制御盤を覆い、下側に保守・点検時などのための所望の作業空間を形成する防護用具の実施の形態を示したものであり、これについて説明する。図２０は三方枠１の上部に１枚の防護シート３１の端部を磁石３２によって取付け、この防護シート３１の下部に重り３３を取付けることによって形成した防護用具が示されている。すなわち、防護シート３１は、防水性であることが望ましく、三方枠１の高さよりも長尺のものとなっていて、下部に紐３３ａを介して重り３３が取付けられるようになっている。このような防護シート３１の磁石３２の取付けられている上端部を、三方枠１の上部に吸着させる。次に、扉７を開いた状態でこの扉７を覆うように、シート３１の下部を三方枠１の前面側へ遠ざけて所望の作業空間を形成し、適宜の位置でシート３１の下部に紐３３ａを介して重り３３を取付ける。このようにすることにより、三方枠１の前面側に簡易形のテントが張られた状態となり、この防護シート３１によって、三方枠１の戸袋に組込まれた制御盤６を、据付、調整、保守、点検などの際に、外気から守ることができるとともに、作業員もこの中で安心して作業をすることができる。なお図２１は、三方枠１の上部または三方枠１の上側の昇降路壁（図示せず）にあらかじめ取付けてあるフック３４に、防護シート３１の上部を係合させるようにしたものであり、防護シート３１の上部にフック３４掛け用の穴を設けてある他は、図２０に示したものと同様である。
【００３５】
図２０および図２１に示した実施の形態によれば、フレーム１４，２４，３４を省略したので、構成が簡単で取付けが容易であり、可搬性に富んだ安価な防護用具が提供される。
【００３６】
【発明の効果】
以上詳述したように、請求項１に記載の発明によれば、三方枠の戸袋に組込まれた制御盤の据付、調整、保守、点検などの際に、制御盤を外気から守って作業空間を確保することができ、かつ、作業環境も良好に保つことができる。またフレームや防護シートは組立式なので持ち運び、収納性に優れており、極めて有用である。
【００３７】
また、請求項２に記載の発明によれば、三方枠の戸袋に組込まれた制御盤の据付、調整、保守、点検などの際に、制御盤を外気から守って作業空間を確保することができ、かつ、作業環境も良好に保つことができる。また戸袋の扉をフレームの一部として兼用して天井パネルを支えているので安定性が良く、組み立ても容易である。
【００３８】
また、請求項３に記載の発明によれば、長方形の防護シートを使用するので、防護シートの構成が簡素化され、組み立ても容易となる。
【００３９】
また、請求項４に記載の発明によれば、フレームまたは防護シートを三方枠に取付けるようにしたので、防護用具の安定性が向上し、防護用具が転倒したりズレたりすることを防止することができる。
【００４０】
また、請求項５に記載の発明によれば、フレームの下部または防護シートの下部に重りを取付けるようにしたので、防護用具の安定性が向上し、防護用具が転倒したり風で防護シートが飛ばされたりすることを防止できる。
【００４１】
また、請求項６に記載の発明によれば、フレームを省略したので、安価で取付けが容易で可搬性に富み、三方枠の戸袋に組込まれた制御盤の据付、調整、保守、点検などの際に、制御盤を外気から守って作業空間を確保することができる。
【図面の簡単な説明】
【図１】本発明のエレベータ装置の制御盤保守・点検用防護用具の一実施の形態におけるフレームの組み立て状態を示した斜視図である。
【図２】図１に示したフレームを覆うように被せる防護シートの展開図である。
【図３】図１のフレームに図２の防護シートを被せて完成させた、本発明の制御盤保守・点検用防護用具を示した斜視図である。
【図４】本発明におけるフレームの他の実施の形態を示した斜視図である。
【図５】本発明におけるフレームのさらに他の実施の形態を示した斜視図である。
【図６】図５に示したフレームの組み立て状態を説明するための説明図である。
【図７】本発明の制御盤保守・点検用防護用具の他の実施の形態における、天井パネルの取付け状態を説明するために示した断面図である。
【図８】天井パネルを有するフレームを示した斜視図である。
【図９】天井パネルの他の取付け状態を説明するために示した断面図である。
【図１０】本発明の制御盤保守・点検用防護用具の他の実施の形態を示した斜視図である。
【図１１】本発明の制御盤保守・点検用防護用具のさらに他の実施の形態を示した斜視図である。
【図１２】図１１に示した実施の形態における防護シートの止着方法を説明するために示した天井パネル部の断面図である。
【図１３】フレームを三方枠に固定させる取付け具を示した図である。
【図１４】フレームを三方枠に固定させる他の取付け具を示した図である。
【図１５】取付け具によってフレームを三方枠に固定させる様子を説明するために示した説明図である。
【図１６】防護シートを三方枠に固定させる取付け具を示した図である。
【図１７】防護シートを三方枠に固定させる他の取付け具を示した図である。
【図１８】取付け具によって防護シートを三方枠に固定させる様子を説明するために示した説明図である。
【図１９】本発明の三方枠組込み制御盤用防護カバーのさらに他の実施の形態を示した斜視図である。
【図２０】本発明のさらに他の実施の形態を示した斜視図である。
【図２１】図１８に示した実施の形態の一部を変更したものの斜視図である。
【図２２】エレベータの三方枠を説明するために示した、乗り場側から見た三方枠の斜視図である。
【符号の説明】
１  三方枠
２  横引き戸
６  制御盤
７  戸袋の扉
１１  アングル
１２  プレート
１４，２４，３４  フレーム
１５，２６，３１  防護シート
１８  制御盤保守・点検用防護用具
【図１】
0004266432.tif 000002
【図２】
0004266432.tif 000003
【図３】
0004266432.tif 000004
【図４】
0004266432.tif 000005
【図５】
0004266432.tif 000006
【図６】
0004266432.tif 000007
【図７】
0004266432.tif 000008
【図８】
0004266432.tif 000009
【図９】
0004266432.tif 000010
【図１０】
0004266432.tif 000011
【図１１】
0004266432.tif 000012
【図１２】
0004266432.tif 000013
【図１３】
0004266432.tif 000014
【図１４】
0004266432.tif 000015
【図１５】
0004266432.tif 000016
【図１６】
0004266432.tif 000017
【図１７】
0004266432.tif 000018
【図１８】
0004266432.tif 000019
【図１９】
0004266432.tif 000020
【図２０】
0004266432.tif 000021
【図２１】
0004266432.tif 000022
【図２２】
0004266432.tif 000023